(57)【要約】      （修正有）【課題】ソフトバーの考案で従来品に比べ使い勝手が著しく向上した陸上競技用高跳び用具において競技者が跳び越えに失敗してソフトバーを引っ掛けた時、取付部分から外れず、その反動でバーが跳ね返る現象が生じたり、支柱が移動したりする問題点の解決を図るバー支持具を提供する。【解決手段】本体の長手方向の一方端部はバー取り付け部とし、他方端部は突起用孔を有するとともに、長手方向中央部にかけて凹字状の第一段差部と、更に下方に第二段差部が設けられ、この第二段差部に、一方端の溝状部にスプリングを介装させた先端金具が前記突起用の孔に達して備えられる。本体は、孔を備えるとともに、切欠部と固定ハンドルとを有し、平面的なｂ面には突起を設け、前者の要素を回動自在に後者の要素に連結設したことを特徴とする陸上競技用高跳びバー支持具で、後者の要素の平面的な面に備えられる突起は、Ｄ字形を呈するものとする。【選択図】図４
0003125619.tif 000002
【実用新案登録請求の範囲】
【請求項１】
所定の間隔を有し対向して配立された一対の支柱に摺動自在に支持具を設け、該支持具を所望位置に係止固定し、この支持具間にバーを架設或いは張設する陸上競技用高跳びバー支持具において、
本体２の長手方向の一方端部はバー取り付け部とし、他方端部は突起用孔４を有するとともに、長手方向中央部にかけて凹字状の第一段差部と、更に下方に第二段差部が設けられ、この第二段差部に、一方端の溝状部にスプリングを介装させた先端金具が前記突起用の孔に達して備えられた要素Ａと、
本体１６は、支柱に摺動自在に取付けるための孔１７を備えるとともに、切欠部１９と固定ハンドル１８とを有し、平面的なｂ面には突起２０を設けた要素Ｂとの、二つの主要な要素から構成し、Ａ要素を回動自在にＢ要素に連結設したことを特徴とする陸上競技用高跳びバー支持具。
【請求項２】
Ｂ要素の平面的なｂ面に備えられる突起２０は、略Ｄ字形を呈するものであることを特徴とする請求項１記載の陸上競技用高跳びバー支持具。
【考案の詳細な説明】
【技術分野】
【０００１】  本考案は陸上競技の高跳びに使用されるバー支持具に係り、公式競技を除く学校や地域施設等での使用に適した練習用に関するものである。
【背景技術】
【０００２】  陸上競技の走り高跳びや棒高跳びに使用されるバーは、通常、直径が１０〜３４ｍｍ、長さが３〜４．５ｍを呈し、竹やジュラルミン或いはガラス繊維強化プラスチックなどで形成されている。そしてこれらのバーは、所定の間隔を有し対向して配立された一対の支柱に、バー支持具を例えばねじ等の止め具で固定し、該受具のバー載置部に両端を搭載することで支柱間に架設している。【０００３】  しかしながら従来の係るバーは、競技者が跳び越えに失敗したとき、落下したバーの上に競技者が乗ってしまうケースが多く、その際、バーが折り曲ることや折損する事もしばしばであり、場合によっては、競技者が落下したバーを背中に当て怪我をすることすらあった。
また、バーは上記のように長尺のため保管や収納に広いスペースを必要とするばかりでなく、移動や運搬が容易でない等の欠点を有していた。【０００４】  一方、近年は係る点から競技用を除く練習用として、例えば実開昭５４−１４７４６４に見られるようにバーを従来品に換え空気を充填するエアーバーに変えたり、折り畳めるゴムや紐を含む伸縮可能な製品、所謂、ソフトバーが用いられるようになった。
しかしながら、バーをゴムや紐或いはエアー充填のものなどのソフトバーに変えても、これらの代替バーを支柱に取り付ける方法が新たな問題として持ち上がってきた。即ち、競技者が跳び越えに失敗してソフトバーを引っ掛けたとき、取り付け部位から外れず、その反動でバーが跳ね返る現象が生じたり、支柱が移動したりすることである。
【考案の開示】
【考案が解決しようとする課題】
【０００５】  そこで本考案は、所謂、ソフトバーの考案で従来品に比べ使い勝手が著しく向上した陸上競技用高跳び用具ではあるが、それが故に新たに生じた上記問題点の解決を図るバー支持具を提供しようとするものである。
【課題を解決するための手段】
【０００６】  上記目的を達成するため本考案は、所定の間隔を有し対向して配立された一対の支柱に摺動自在に支持具を設け、該支持具を所望位置に係止固定し、この支持具間にバーを架設或いは張設する陸上競技用高跳びバー支持具において、
本体の長手方向の一方端部はバー取り付け部とし、他方端部は突起用孔を有するとともに、長手方向中央部にかけて凹字状の第一段差部と、更に下方に第二段差部が設けられ、
この第二段差部に、一方端の溝状部にスプリングを介装させた先端金具が前記突起用の孔に達して備えられた要素と、【０００７】  本体は、支柱に摺動自在に取付けるための孔を備えるとともに、切欠部と固定ハンドルとを有し、平面的な面には突起を設けた要素と、二つの主要な要素から構成し、前者の要素を回動自在に後者の要素に連結設し、後者の要素の平面的な面に備えられる突起は、略Ｄ字形を呈するようにして課題解決の手段としている。
【考案の効果】
【０００８】  本考案は、以上のような構成で課題を解決するための手段とするものであるから、以下の効果を奏する。【０００９】（１）競技者の跳躍失敗によって、Ａ要素の端部に設けられたソフトバーが、下方或いは上方何れに引っ張られても、支柱に係止状態を保持しながらも、内装されたスプリングの弾発力によってＡ要素が回動してソフトバーが保持具から離脱するので、競技者にバーの跳ね返りが起きない【００１０】（２）競技者の跳躍失敗などでバーに想定以上の力が加えられた時は、回動して保持具からバーを離脱させる機能を有する要素を備えながらも、支柱に保持具を係止状態に保持する機能は、他の要素で行うように役割を分担して果たすので、競技者の跳躍失敗などで支柱が引っ張られて移動するなどと言うことが無い。【００１１】（３）支柱に保持具を係止状態で保持する要素には、孔に支柱を摺動自在に挿入し、所望位置でハンドルを回して締め付ければ、本体の切欠部の間隔が狭まって、孔内周面全体で支柱に接して係止固定するので、その状態は強固に行われている。【００１２】（４）競技者の跳躍失敗などでバーに想定以上の力が加わったとき、バーを離脱させる機能は要素内部に装着させたスプリングの弾発力によってなされるので、耐久性に富み且つ安定しているので取り扱いがすこぶる簡便で使い勝手がよく、大勢に反復使用される学校や地域施設での練習用として大いなる利便性がある。
【考案を実施するための最良の形態】
【００１３】  本考案の陸上競技用高跳びバー支持具は主要なＡＢ二つの要素から構成され、Ａ要素は、本体とカバーとで構成し、要素Ｂにａ面を合わせ連結設されてその機能を果たす部材であって、
該要素金具は、長手方向の一方端は半円状を呈していて、この部位に貫設された突起用の孔を有し、この孔から長手方向中央部にかけて、四隅にカバー取付け用の固定穴を備えた凹字状の第一段差部と、該所から更に下方に第二段差部が設けられ、この第二段差部に前記突起用の孔に至る一方端が溝状を呈する先端金具がスプリングを介装させて備えられとともに、他方端部には長手方向にソフトバーが取り付けられる孔が貫設されている。
係る構成の金具に、カバーが前記第一段差部に取付けられ、しかる後、要素Ｂ金具の突起を前記突起用の孔に嵌合して、スプリングの弾発でＡ要素が回動自在に要素Ｂに連結設して形成される。【００１４】  第二の要素Ｂは、Ａ要素とともに本考案を構成する主要な二大要素の一つの金具で、Ａ要素のａ面と連結設されるもので、Ａ要素との接合面ｂ面は平面状を呈しており、該面には略Ｄ字形を呈する突起を備えていて、支柱に摺動自在に設けて所望する位置に係止固定するためるために支柱孔を有するとともに、支柱に締め付け固定するための接合切欠部とハンドルを有している。【００１５】  要素ＡＢは係る構成を有しており、要素Ａの突起用孔に要素Ｂの突起を嵌合して、要素Ａを回動自在に要素Ｂに連結設して本考案の陸上競技用高跳びバー支持具は形成される。
【実施例】
【００１６】  図面に示す実施例に基づき本考案を詳細に説明すると、図１は、本考案の陸上競技用高跳びバー支持具を構成する主要な二大要素の一つである金具Ａを説明するもので、この要素Ａは、本体２とカバー９とで構成され、後記要素Ｂのｂ面とａ面を合わせて連結設されてその機能を果たす部材である。
該金具は、長手方向の一方端は半円状を呈していて、この部位に貫設された突起用孔４を有し、この孔４から長手方向中央部にかけて、四隅にカバー取付け用の固定穴１０を備えた凹字状の第一段差部７と、該所から更に下方に第二段差部１１が設けられ、この第二段差部に前記突起用孔４に至る一方端が溝状を呈する先端金具５がスプリング６を介装させて備えられとともに、他方端部には長手方向にソフトバーが取り付けられる孔３が貫設されている。【００１７】  図２は図１のＡ要素とともに本考案を構成する主要な二大要素の一つである要素Ｂで、図１のａ面と連結設されるもので、本図は接合面のｂ面方角から説明するものである。
この金具Ｂの本体１６は、支柱に締め付け固定するための切欠部１９と、支柱１に摺動自在に取付けて、所望する位置に係止固定するための孔１７を有し、平面的なｂ面には略Ｄ字形を呈する突起２０を備えている。【００１８】  図３は、本考案の陸上競技用高跳びバー支持具を支柱１に摺動自在に取付け、前記説明のＢ金具の切欠部１９を、固定ハンドル１８で締め付けて支柱１の所望位置に係止固定した状態を示すもので、要素Ａの孔３には破線で示したソフトバーが取り付けられて使用される。【００１９】  図４は、本考案の陸上競技用高跳びバー支持具の要素Ａが跳ね上がったとき或いは下方に引かれた状態、即ち、競技者が跳躍に失敗して該支持具間に架設や張設されたソフトバーが一気に引かれた時の支持具の状態を示したもので、要素Ｂの本体１６は、ｂ面で要素Ａのａ面と接しながら連結設されている。ここにおいて、要素Ａのａ面の第一段差部７にはカバー９が取付けられた後に要素Ｂと回動自在にして、且つＢとは連結密着設され、支柱の所望位置に係止固定される。【００２０】  図５は、図３の状態における要素Ａ金具と要素Ｂ金具の接合要部を示し、要素Ａの接合面ａとは反対面のａからのもので、本体２の一方向端部に貫設された突起用孔４に図２で説明のＤ字状を呈する突起２０が嵌合されていて、この突起２０の平面部には、図１で説明の先端金具５がスプリング６の付勢によって円縁方に押接されている。【００２１】  図６は、図４の状態における要素Ａと要素Ｂの接合要部を示し、要素Ａの接合面ａとは反対面のａからのもので、競技者の跳躍失敗でバーが引っ張られ、要素Ａが跳ね上がったとき或いは下方に引かれた状態において、前図における突起２０と先端金具５との状態の変化を示している。
即ち、要素Ａ金具が上方或いは下方に引っ張られれば、先端金具５がスプリング６を圧縮し、突起２０と先端金具５の接合部に隙間が生じ、このことで、引っ張られたソフトバーに無理な張力が発生する前に要素金具Ａが回動してソフトバーを開放するものである。
【産業上の利用可能性】
【００２２】  本考案の陸上競技用高跳びバー支持具は以上説明のような構成を有するものであるから、ソフトバーでの使用と言う限定はあるものの、多人数が限られた時間内で反復使用する学校や地域での練習のための高跳びのバー支持具として、使い勝手が頗る良好であるばかりでなく、当該支持具からバーが外れるときの力は一定していてばらつきが無く、且つこれと言って故障する要素が見当たらず、その上特段製造上の問題も無く大いに期待される。
【図面の簡単な説明】
【００２３】
【図１】本考案の陸上競技用高跳びバー支持具を構成する主要な二大要素のＡ要素金具を説明するものである。
【図２】本考案の陸上競技用高跳びバー支持具を構成する主要な二大要素のＢ要素金具を説明するものである。
【図３】本考案の陸上競技用高跳びバー支持具を支柱１に摺動自在に取付け、所望位置に係止固定した状態を説明する図である。
【図４】図３で、要素Ａを跳ね上げ或いは引き下げられた状態を説明する図である。
【図５】図３の状態における、要素Ａと要素Ｂの接合要部を示す図である。
【図６】図４の状態における、要素Ａと要素Ｂの接合要部を示す図である。
【符号の説明】
【００２４】Ａ要素金具      ａ面      ａａの反対面      １支柱      ２本体      ３バー用孔
４突起用孔      ５先端金具      ６スプリング      ７第一段差部      ９カバー
１０ビス孔      １１第二段差部
Ｂ要素金具      ｂ平面的面      １６本体      １７支柱孔      １８ハンドル
１９切欠部      ２０突起
【図１】
0003125619.tif 000003
【図２】
0003125619.tif 000004
【図３】
0003125619.tif 000005
【図４】
0003125619.tif 000006
【図５】
0003125619.tif 000007
【図６】
0003125619.tif 000008